(57)【要約】【課題】本体及び表示部の薄型化を達成しながら、表示ユニット部側のヒンジ部をきちんと収納した上で、開閉しやすい外部端子接続部、及び記録の為の記録用カード保護用蓋を備えた撮像装置を提供すること。【解決手段】表示を行う表示部と、本体側に配置された第1回転軸と、パネル側に配置された第2回転軸をもつヒンジ部と、収納状態で本体部に配置された前記第2回転軸をカバーする目隠し部と、本体部に配置された外部機器接続部と、前記外部機器接続部を保護するための保護カバー部をもち、前記目隠し部は前記カバー部により一部もしくは全部が構成されていることを特徴とする構成とした。【選択図】  図１９
2015005885.tif 000002
【特許請求の範囲】
【請求項１】
表示を行う表示部と、
本体側に配置された第1回転軸と、パネル側に配置された第2回転軸をもつヒンジ部と、
収納状態で本体部に配置された前記第2回転軸をカバーする目隠し部と、
本体部に配置された外部機器接続部と、前記外部機器接続部を保護するための保護カバー部をもち、
前記目隠し部は前記カバー部により一部もしくは全部が構成されていることを特徴とする撮像装置。
【請求項２】
前記目隠し部は、前記保護カバー部の指かけ形状を兼ねる
ことを特徴とする請求項１に記載の撮像装置。
【請求項３】
前記外部機器接続部は着脱可能な記憶装置である、
ことを特徴とする請求項１又は請求項2に記載の撮像装置。
【請求項４】
前記外部機器接続部は着脱可能なバッテリーである、
ことを特徴とする請求項１乃至請求項３の何れか１項に記載の撮像装置。
【発明の詳細な説明】
【技術分野】
【０００１】
本発明は、撮像装置に関し、特に本体部の蓋部及び本体部の構造に関するものである。
【背景技術】
【０００２】
近年、ビデオカメラは扱いやすさ、携帯性がより求められるようになり、小型化、薄型化が求められてきている。 
【０００３】
また、SNSへのアップロード等にしばしば見られるように、自分の現在の行動、状態を 
他の人に見てもらうため、自分撮りをする回数が増えてきている。
【０００４】
このような自分撮りをやりやすくするため、平行2軸のヒンジ構成をもつような撮像装置が提案されている。 
【０００５】
このようなヒンジにおいては、製品全体の小型化のため、ヒンジのパネル側の軸をパネル画面面方向下方に配置することが多い。この場合、パネルユニットを薄くするために、ヒンジ軸部及びその目隠し部が飛び出している構成となるため、本体側にヒンジ部を収納するための凹部を設ける必要がある。 
【０００６】
加えて、外部接続用の外部端子接続部、及び記録の為の記録用カード等をつなげる為のコネクタ部及びカード挿入部を配置する必要があるが、不用意にゴミや水滴等が侵入するのを防ぐために蓋部が必要となるが、本蓋部も小型でありながら開閉しやすい構造が必要となる。
【０００７】
特許文献１では、ヒンジ部の前記目隠し部材の背面に取付けられた取付け部材により前記ハーネスの引き回し位置が規制されると共に、前記取付け部材が透明材料で作られていることを特徴とする撮像装置が提案されている。
【０００８】
また、特許文献２では、カード型記録媒体が装着される装着部を覆う開閉可能な蓋部に、前記映像表示装置の開閉を規制するロック部を設けたことを特徴とするビデオカメラが開示されている。
また、
【先行技術文献】
【特許文献】
【０００９】
【特許文献１】特許第3941245号明細書
【特許文献２】特許第4027127号明細書
【発明の概要】
【発明が解決しようとする課題】
【００１０】
しかしながら、特許文献１では、ヒンジ目隠し部がただの目隠しとなっているだけであり、小型化及び開閉しやすい蓋構造とはなっていない。
【００１１】
また、特許文献２に開示された従来技術では、表示パネル用のロック構造となっており、簡易に回動できる用の構造ではない。また、部品点数が増えコストアップ、カード蓋のヒンジ部にもバネを仕込む必要がある、等の問題がある。
【００１２】
そこで、本発明の目的は、本体及び表示部の薄型化を達成しながら、表示ユニット部側のヒンジ部をきちんと収納した上で、開閉しやすい外部端子接続部、及び記録の為の記録用カード保護用蓋を備えた撮像装置を提供することである。
【課題を解決するための手段】
【００１３】
上記目的を達成するために、本発明は、表示を行う表示部と、
本体側に配置された第1回転軸と、パネル側に配置された第2回転軸をもつヒンジ部と、
収納状態で本体部に配置された前記第2回転軸をカバーする目隠し部と、
本体部に配置された外部機器接続部と、前記外部機器接続部を保護するための保護カバー部をもち、
前記目隠し部は前記カバー部により一部もしくは全部が構成されている、
ことを特徴とする。
【発明の効果】
【００１４】
本発明によれば、本体及び表示部の薄型化を達成しながら、表示ユニット部側のヒンジ部をきちんと収納した上で、開閉しやすい外部端子接続部、及び記録の為の記録用カード保護用蓋を備えた撮像装置を提供することができる。
【図面の簡単な説明】
【００１５】
【図１ａ】本発明の実施形態にかかわる撮像装置の前方斜視図
【図１ｂ】本発明の実施形態にかかわる撮像装置の後方斜視図
【図２ａ】本発明の実施形態にかかわる撮像装置の蓋部開状態の前方斜視図
【図２ｂ】本発明の実施形態にかかわる撮像装置の蓋部開状態の後方斜視図
【図３】本発明の実施形態にかかわる撮像装置の機能構成図
【図４】本発明の実施形態にかかわる撮像装置の内部構成の一部側面図
【図５】本発明の実施形態にかかわる撮像装置の内部構成の一部前方斜視図
【図６ａ】本発明の撮像装置の表示ユニット部を背面に向けた状態での前方斜視図
【図６ｂ】本発明の撮像装置の表示ユニット部を背面に向けた状態での後方斜視図
【図６ｃ】本発明の撮像装置の表示ユニット部を背面に向けた状態での側面図
【図７ａ】本発明の撮像装置の表示ユニット部を前斜め上方に向けた状態の前方斜視図
【図７ｂ】本発明の撮像装置の表示ユニット部を前斜め上方に向けた状態の側面図
【図８ａ】本発明の撮像装置の表示ユニット部を前方に向けた状態の前方斜視図
【図８ｂ】本発明の撮像装置の表示ユニット部を前方に向けた状態の側面図
【図９】図６cのうち、表示ユニット部の距離関係を表示した側面図
【図１０】図８ｂのうち、表示ユニット部の距離関係を表示した側面図
【図１１】本発明の撮像装置のヒンジユニット部の斜視図
【図１２】本発明の撮像装置のヒンジユニット部の斜視図
【図１３】本発明の実施形態にかかわる撮像装置の表示ユニット部を撮影者が開けている状態の前方斜視図
【図１４】本発明の実施形態にかかわる指かけ部を示した撮像装置の上面図
【図１５】本発明の実施形態にかかわる撮像装置の指かけ部を示した前方斜視図
【図１６】本発明の実施形態にかかわる撮像装置の指かけ部付近で光軸と垂直方向に切断した断面図
【図１７】図１６の断面図の位置で表示ユニット部を撮影者が開けている状態の図
【図１８】本発明の撮像装置の表示ユニット部を背面に向けた状態での前方斜視図
【図１９】図１８の状態で蓋部を開けようとしている状態の図
【図２０】本発明の撮像装置の表示ユニット部を斜方から見た表示ユニット部分解図
【図２１】本発明の撮像装置の表示ユニット部を斜方から見た表示ユニット部分解図
【図２２ａ】本発明の撮像装置の表示ユニット部を光軸と垂直方向に切断した断面図
【図２２ｂ】図２２aの断面図の一部拡大図
【図２３】本発明の撮像装置の表示ユニット部の内部構成のそれぞれの開口部の大きさを比較した上面図
【図２４】本発明の撮像装置の表示ユニット部のうち、背面カバー部等一部の部品を除いた斜方図
【図２５】本発明の撮像装置の表示ユニット部のうち、背面カバー部等一部の部品を除いた側面断面図
【図２６】本発明の撮像装置の表示ユニット部のうち、背面カバー部等一部の部品を除いた斜方図の一部拡大図
【図２７】本発明の撮像装置の表示ユニット部のうち、背面カバー部等一部の部品を除いた通常収納状態でのヒンジカバー部を点線で示した側面断面図
【図２８】本発明の撮像装置の表示ユニット部のうち、背面カバー部等一部の部品を除いた再大回転状態でのヒンジカバー部を点線で示した側面断面図
【図２９】本発明の撮像装置の表示ユニット部の１形態のうち、背面カバー部等一部の部品を除いた通常収納状態での側面断面図
【図３０】本発明の撮像装置の表示ユニット部の１形態のうち、背面カバー部等一部の部品を除いた再大回転状態での側面断面図
【図３１】本構成の第2の実施例における側面図の保持用磁石部を含む断面で切断した通常収納状態での断面図
【図３２】本構成の第2の実施例における撮像装置で表示ユニット部を前斜め上方に向けた状態の側面図
【図３３】図３２の状態から表示ユニット部を角度αをキープしながらより上方に向けた状態の側面図
【図３４】図３３の状態の前方視図
【図３５】本構成の第2の実施例における側面図の保持用磁石部を含む断面で切断した図３２の状態での断面図
【図３６】本構成の第2の実施例における側面図の保持用磁石部を含む断面で切断した表示ユニット部を前方に向けた状態での断面図
【図３７】本構成の第2の実施例における側面図の保持用磁石部を含む断面で切断した図３３の状態での断面図
【図３８】本発明の第２の実施例における撮像装置の機能構成図
【図３９ａ】従来の撮像装置の前方斜視図
【図３９ｂ】従来の撮像装置の表示ユニット部を表に出した状態の後方斜視図
【図３９ｃ】従来の撮像装置の表示ユニットを開いた状態の後方斜視図
【図４０ａ】従来の撮像装置の表示ユニット部を光軸と垂直方向に切断した断面図
【図４０ｂ】図４０aの一部拡大図
【図４１】従来の撮像装置の表示ユニット部のうち、背面カバー部等一部の部品を除いた側面断面図
【図４２】従来の撮像装置の表示ユニット部のうち、背面カバー部等一部の部品を除いた斜方図の一部拡大図
【発明を実施するための形態】
【００１６】
［実施例１］
以下に、本発明の第1の実施例の好ましい形態を、添付の図面に基づいて詳細に説明する。図１aは、本発明の実施形態にかかわる撮像装置の前方斜視図、図1bは本発明の実施形態にかかわる撮像装置の後方斜視図である。
【００１７】
本実施形の撮像装置100は、レンズユニット部110、本体部150、表示ユニット部200から構成されている。
【００１８】
本体部150は、マイクユニット部151、記録スイッチ部152、ストラップ通し穴部153、電源スイッチ部154、再生スイッチ部155、端子蓋A部160、端子蓋B部170、等から構成されている。
【００１９】
また、端子蓋A部160、端子蓋B部170は開閉可能になっており、図2a,2bに示すように開けた際には外部接続端子部180への端子の抜き差し、及びSDカード等の外部記憶装置部190の着脱が可能になっている。
【００２０】
撮像装置100の機能構成を図3に示す。レンズユニット部110のレンズ部111に入射した被写体像は、イメージセンサ部112にて信号電荷に変換される。
【００２１】
変換された信号電荷は、本体部150に配置された制御基板部120に送られ、制御基板部120に実装されている制御ＩＣ122に入力される。
【００２２】
本実施例のカメラの制御ＩＣ122は、イメージセンサ部112から送られる信号電荷を、輝度信号および色差信号のデジタル映像データに変換する画像処理部123と、ＣＰＵ及びワークメモリ部を持つ制御部124とで構成されている。
【００２３】
画像処理部123で変換されたデジタル映像データは、制御部124の制御によって、作業領域であるメモリ部127とデータの授受をしたのち、外部記憶装置部190や外部接続端子部180への出力が行われる。この場合の外部記憶装置部とは、SDカードやHDD等の本体へ内蔵や着脱可能な記憶装置のことを指す。
【００２４】
電源部125は電源スイッチ等の操作により撮像装置100の電源を制御部124を介して電源をON/OFFさせる。またいくつかの操作部126を持ち、操作部126が操作されるとそれぞれに割り当てられた機能を、制御部124を介して実行する。
【００２５】
表示ユニット部200は、レンズユニット部110へ入力された被写体像、及び使用者が撮影した映像データ等を表示することができる。本実施例における表示ユニット部200は映像を表示する表示部202及び透明電極にて構成されたタッチパネル部203、それぞれの入出力信号を変換して本体制御部124への入出力を行う表示基板部204を持つ。
【００２６】
これにより、各種映像やアイコン表示を表示部202に表示し、タッチパネル203への操作入力情報により様々な入力/表示制御が可能となっている。
【００２７】
反転検出部260は表示ユニット部200内に配置され、表示ユニットの反転状態を検出した場合、表示基板部204を介して本体制御部124へ反転検知信号を伝達する。本体制御部124は前記反転検出部の信号に合わせ、表示モード及び記録モードを通常モードと反転表示モードとに切り替える制御を行う。
【００２８】
表示ユニット部200は通常収納状態では、図1a,bに示すようにレンズユニット部110に対し、光軸方向に表示面201の表示方向が垂直で、本体上面側になるように配置されている。
【００２９】
図4、5は本発明の撮像装置のうち、レンズユニット部110、制御基板部120及び表示ユニット部200を側面及び側面前方斜視からみた図である。4,5に示されるように、レンズユニット部110と表示ユニット部200がパネル面方向で重ならないように配置されている。これにより撮像装置100の厚みをレンズユニット部110と表示ユニット部200が重なった場合に比べて薄くすることができ、携帯性を高めている。
【００３０】
図6a〜cに本発明の撮像装置の表示ユニット部を背面に向けた状態での図、図7a,bに本発明の撮像装置の表示ユニット部を前斜め上方に向けた状態の図、図8a,bに本発明の撮像装置の表示ユニット部を前方に向けた状態の図を示す。図6〜8に示すように、表示ユニット部200は、ヒンジユニット部210を介して本体部150に対し、本体部に配置され、光軸及び表示面201の表示方向と垂直な回転軸220aを持つ第1回転軸部220と、前記第1回転軸部220と平行な第2回転軸230aを持ち、表示ユニット部200に配置された第2回転軸部230により、表示面201の表示方向を光軸方向後方〜光軸方向前方まで自在に回転させることができる。
【００３１】
通常撮影時には、表示ユニット部200を図1及び図6の間の自由な角度で本体上方及び後方から確認しながら撮影が可能である。また、自分撮り等、対面にて撮影を行う場合には、表示ユニット部200を図7,8等のアングルにすることにより、撮影される側にいても画角やピント等、状態を確認しながら撮影をすることができる。
【００３２】
本体を机等に置いて撮影を行う際、図39a〜cに示す従来の撮像装置では本体部501の表示ユニット部510が本体部501の接地面外形から大きくはみ出して安定せず、傾き、倒れてしまうことがあった。
【００３３】
一方、本発明の撮像装置では、表示ユニット部200に合わせた薄型の形状の為、本体部150の底面部の接地面側の面積が撮像装置100の体積に対する割合が大きく、かつ表示ユニット200の可動範囲も図6〜8に示すように本体部150の接地面外形から大きくはみ出すことがない。
【００３４】
表示面201の表面はタッチパネル203となっており、表示面が本体上面側に配置されていることにより、タッチパネル203の操作性が、図39a〜cに示すような従来の横開きタイプの撮像装置に対しより使いやすくなっている。
【００３５】
よって本構成では表示ユニット200をどのようなアングルにしても安定して撮影を行うことが可能である。
【００３６】
また、本構成におけるヒンジユニット部210において、本体側に配置された第1回転軸部220は、表示ユニット部200の回転自由度を高め、取り扱い時の安定度を増し、かつ本体側150の内部構成物をなるべく邪魔しないように、本体部150のレンズ光軸方向後方側の両サイド2ヵ所に配置されている。
【００３７】
表示ユニット部200側に配置された第2回転軸部230は、第1回転軸部220と同様、回転自由度及び取り扱い時の安定度を高めるため、表示ユニット部の両サイド側に配置されている。
【００３８】
図9及び10はそれぞれ図4及び5の撮像装置100のうち、第1回転軸部220及び第2回転軸部230の軸に垂直な面から見た表示ユニット部200及びヒンジユニット部210、及び本体部150の本体上カバー部156である。
【００３９】
表示ユニット部200の表示面201の表示方向を光軸方向後方〜光軸方向前方まで自在に回転させるため、第1回転軸部220の回転軸中心〜第2回転軸230の回転軸中心までの距離をA、第2回転軸230の回転軸中心〜表示ユニット部200のうち、第一回転軸側から遠い側の表示ユニット部端部までの距離をBとする。この距離の関係を、A≧Bの関係とすることにより、表示ユニット部200が図6及び7の間で光軸方向後方〜光軸方向前方まで自在に回転可能となり、様々な撮影スタイルに対応することが可能になる。
【００４０】
さらに、図9及び10の位置における上カバー〜第2回転軸230の回転軸中心までの距離をCとすると、同様にC≧Bの関係にすることにより、表示ユニット部200が図6及び7の間で光軸方向後方〜光軸方向前方まで自在に回転可能となり、様々な撮影スタイルに対応することが可能になる。
【００４１】
また、本実施例の構成では第1回転軸部220を本体後方に配置したが、第1回転軸部220を前方に配置し、第2回転軸部230がその後方に位置する構成でも、前記A≧BかつC≧Bの関係性が成り立つように構成することにより同様の効果を得ることが可能である。
【００４２】
図6a〜cに示すように、本体部150と表示ユニット部200との電気的接続は、本体150側に配置された制御基板部120と、表示ユニット側に配置された表示基板部204を接続する表示ユニット接続用FPC250にて、表示ユニット部200が自在に回転可能に接続されている。また、表示ユニット部200がどのような角度でも電気的接続が保たれるように、本体部150からの出口は第1回転軸部220の第1回転軸部220aの軸近傍にFPC本体側出口158をもち、表示ユニット部200側の出口は第2回転軸部230の第2回転軸部230aの軸近傍にFPC表示ユニット側出口240を持つ。これにより、表示ユニット部200の動きによる表示ユニット接続用FPC250のストレスを最小限に抑えることが可能となる。
【００４３】
さらに、表示ユニット部200の動きや人が表示ユニット部200を動かす時に表示ユニット接続用FPC250がストレスを受けないように、FPCガード部251がヒンジユニット部210と機械的に接続している。
【００４４】
ヒンジユニット部210の構成を図11、12に示す。ヒンジユニット部210は、本体側に配置された第1回転軸部220を構成し、本体部150と接続される本体側接続部211、本体側の第1回転軸部220と表示ユニット側の第2回転軸部230をつなぐヒンジ接続部212、第2回転軸部230を構成し、表示ユニット200と接続される表示ユニット部側接続部213をもつ。
第2回転軸部230は、図6a〜cに示されるように、表示ユニット部200の全体外形より本体部150側に突出しており、人体の保護及び外見上の観点から、表示ユニット部200部の一部がヒンジカバー部235として、第2回転軸部230を覆っている。
【００４５】
さらに、第1回転軸部220には、第1回転軸部220を回転させる際に軸力によりクリックや摩擦力を発生させる為の本体側バネ部214、本体側接続部211とヒンジ接続部212を回転自在に結合する本体側回転固定部215をもつ。第2回転軸部230には、第2回転軸230を回転させる際に軸力によりクリックや摩擦力を発生させる為の表示ユニット側バネ部224、表示ユニット部側接続部213とヒンジ接続部212を回転自在に結合する表示ユニット側回転固定部225をもつ。上記構成にすることにより、本体部150に対し、表示ユニット部200を様々な角度に保持した状態で使用することが可能になる。
【００４６】
本発明における撮像装置では、通常、図13にあるように、指にて表示ユニット部200の第1回転軸部220からもっとも遠い側となる、表示ユニット200の前方側面の両サイドを挟み込むように持ち上げて表示ユニット部200を回動させる。
【００４７】
この際、表示ユニット部200の前方左右両側には、表示ユニット200を本体部150から回動させやすくするために、指かけ用の指かけ凸部301を具備している。本指かけ凸部301を第1回転軸部220から最も遠い部分に配置することにより、表示ユニット200を開閉する力を最小にすることができ、開閉しやすい表示ユニット200を提供することができる。
【００４８】
図14に本発明の上方から見た図、図15に前方からの上方斜視図を示す。前記指かけ凸部301は、デザイン上及び小型化を達成するため、図14のように撮像装置100の外形から飛び出さない範囲で設けられている。
【００４９】
図16に指かけ凸部301部周辺の光軸と垂直方向の断面を示す。外形より指かけ凸部301の凸量が少ないため、開閉動作をしにくくなる可能性があるが、本指かけ凸部301の下に配置された端子蓋A部160、図6bに示されるように、端子蓋B部170の指かけ凸部301に対向する位置に、それぞれ蓋を開閉するための指かけ用凹部161、171を設けている。
【００５０】
本指かけ用凹部161,171が指かけ凸部301に対向する位置にあることにより、図17に示すように、指かけ用凹部161,171の部分にまで指の一部が入り込むことができ、指かかりがよくなり、より開閉しやすい表示ユニット200を構成している。
【００５１】
本事例では表示ユニット部200に指かけ凸部301を設定したが、実施の形態によっては、表示ユニット部200側には凸がなくてもよいし、逆に指かけ用の凹形状を設けて操作しやすくすることも可能である。
【００５２】
端子蓋A部160、端子蓋B部170は、既に説明したように開閉可能になっており、図2a,2bに示すように開けた際には外部接続端子部180への端子の抜き差し、及びSDカード等の外部記憶装置部190の着脱が可能になっている。
【００５３】
また、本発明の撮像装置の本体部150には、表示ユニット部200側に配置されている第2回転軸部230及び前記第2回転軸部230を保護するためのヒンジカバー部235が表示ユニット部200から突出して設けられているため、突出部を逃げるための本体側凹部157が設けられている。
【００５４】
端子蓋A部160、端子蓋B部170の開閉には、前記指かけ用凹部161,171を使用して開閉可能であるが、前記指かけ用凹部161,171の下には外部接続端子部180、及びSDカード等の外部記憶装置部190等があり、大きく凹をとることができず開閉しにくいという問題がある。
【００５５】
図18に本発明の撮像装置の表示ユニット200を開けた状態の図を示す。本発明では、図18に示すように、本体側凹部157を構成している部分のうち、外観側の一部もしくはすべてを端子蓋A部160、端子蓋B部170の一部で構成する。このことにより、図19にあるように、本体側凹部157に指を入れて端子蓋A部160、端子蓋B部170を簡単に開くことが可能になる。また本体側凹部157を、前記端子蓋A部160、端子蓋B部170の指かけ部と兼ねることにより、スペースを効率よく利用でき、本体をより小型化することができる。
【００５６】
図20、21は表示ユニット部200の斜方から見た分解図である。以下構成を説明する。
タッチパネル部203は、表示部前カバー205の表示を邪魔しない開口を持ったタッチパネル受け部205aに粘着部材部206によって貼り付けられている。
【００５７】
表示部202は、表示部前カバー205に開いた表示部用開口部205bに組み込まれる。さらに、表示基板部204がその背後に配置され、タッチパネル部203、表示部202及び反転検出部260等と電気的に接続されている。加えて、表示ユニット接続用FPC250も接続されている。さらにその背面には、ヒンジユニット部210が配置され、表示ユニット部200を本体部150に対し回動自在に保持している。その背面には、収納状態を保持するための保持用磁石270が配置されている。通常収納状態においては、本体部150には前記保持用磁石270に対向する位置に磁性体165が配置され、通常収納状態を保持用磁石270の磁力によって保つようになっている。本実施例では後述する図35,36に示すように磁性体165は本体側の保持板金を兼ねているが、これに限定されず、図19に示す本体部150側の本体上カバー部156近傍に磁性を持つ物体が配置されていればよい。
【００５８】
ヒンジカバー部235等の背面部の保護及び外観を構成する背面カバー部207により背面が保護される。
【００５９】
図40aは、図39に示した、従来の撮像装置の表示ユニット部510の断面図、図40bは図40aの下側部の一部拡大図である。従来の表示ユニット部510では、表示部前カバー部515のタッチパネル受け部515aがタッチパネル部513と表示部512の間に、表示を邪魔しない開口を持って入り込む構造となっている。これにより表示ユニット部510の厚みがタッチパネル受け部515aの分だけ分厚くなっていた。
【００６０】
また、タッチパネル部513を表示部前カバー515に固定する粘着部材部516は、通常表示部前カバー部515に粘着部材部516を先に貼り付ける工程となっており、はみ出しによる表示面への映り込み、及び貼り付け易さを向上させるため、タッチパネル受け部515aの開口よりも開口が大きくなっている。さらに表示部512とタッチパネル受け部515aの間には圧縮可能なシール材517によってタッチパネル513と表示部512の間の間部518にごみを入り込ませないような構造になっている。
【００６１】
しかしながら、組立工程や予期せぬゴミが一度空間部518に入り込んだ場合、分解を行わない限りゴミを取り除くことが不可能であった。これにより表示面にゴミが写り込んでしまうといったことがあった。
【００６２】
図22aは、本発明の表示ユニットの断面図、図22bは図22aの右側部の断面部分をハッチングした一部拡大図である。
【００６３】
本発明では、表示部前カバー205のタッチパネル受け部205aは従来のようにタッチパネル部203と表示部202の間には入り込むことなく構成することにより、表示ユニット部200の厚みを薄くすることができる。
【００６４】
また、タッチパネル部203と表示部前カバー205を固定する粘着部材部206は、タッチパネル203に先に貼り付けすることにより、タッチパネル受け部205aへの貼り付けやすさを考慮する必要がないため、図22bに示すようにタッチパネル受け部205aよりも開口が狭く構成され、粘着張り出し部206aが空間に張り出した構造となっている。
【００６５】
また、図20,21に示すように、表示部202はタッチパネル203と表示面201方向に隙間を保つように、表示部前カバー205に表示面201方向に当たる表示当て部202aを持つ。
【００６６】
これによりタッチパネル203と表示部202の間の空間部208や表示部202と表示部用開口部205bの隙間部分209に組立工程や予期せぬゴミが入りこんだ場合でも、粘着部材部206の粘着張り出し部206aによりゴミを吸着し、表示面にゴミが写り込むことを防ぐ構造となっている。
【００６７】
図23は表示ユニット部200のうち、タッチパネル部203を外した表示面上方から見た図である。破線で示された表示部202の表示範囲をL、点線で示された粘着部材206の開口をM、表示部の外形サイズをNとすると、図23に示すように、L＜M＜Nの関係とすることにより、表示を邪魔せずゴミの映り込みを防ぐことができる。
【００６８】
図24は本発明における、表示ユニット部200のうち、背面カバー部207等一部の部品を除いた斜方図である。
【００６９】
本発明における撮像装置100は、例えば自分撮りを行う際に図7，8のように表示ユニット部200を光軸前側に向けて撮影を行う。しかしながらその際、表示部202に表示される画像が上下反転してしまうため、表示ユニット部200反転状態を検知して表示を反転させる構成が必要になる。
【００７０】
本構成の第一の実施例では、反転状態を検知して表示を反転させる為の反転検出部260を、表示ユニット部200に内蔵している。この場合の反転検出部はスイッチにて形成されており、検出スイッチの検出ノブ261が押下られることにより反転を検出する。
【００７１】
反転検出部260を作動させるため、ヒンジ部210のうち、第2回転軸部230を構成するヒンジ接続部212のうち少なくとも片側には、スイッチ押下用のツメ部231が設けられている。
【００７２】
このスイッチ押下用ツメ部231が回転し、反転検出部260の検出ノブ261を押し下げることによりスイッチがONし、画面が反転する。前記反転検出部260及びスイッチ押下用ツメ部231を適切な位置関係にすることにより、望みの角度で表示画像を反転させることができる。
【００７３】
図41に従来の表示ユニット部の一部の部品を除いた側面図を示す。従来のヒンジ部530では、第2回転軸部535の回転軸径536と、スイッチ押下用ツメ部531のツメ部外形を形成するツメ径537との段差によりツメ部を構成し、反転検出部540をONする構成となっている。従来、前記スイッチ押下用ツメ部531は回転により反転検出部540の検出ノブ541を押し下げる為、ツメ部を図41に示すように軸中心の円弧に沿った形状で構成していた。
【００７４】
表示ユニット部200の薄型化により回転軸の小型化が進んでいくと、スイッチ押下用ツメ部531と回転軸径536の段差も減ってしまい、スイッチ押下用ツメ部531も小型化してしまう。図42に斜方から従来のヒンジ部ツメ部を拡大した図を示す。図42のように、スイッチの検出ノブ541の実装ズレや位置ズレ等により、スイッチ押下用ツメ部531がスイッチの検出ノブ541を押せなくなってしまう場合がある。
【００７５】
図25は、本発明の表示ユニット部200のうち、背面カバー部207等一部の部品を除いた側面断面図、図26はそのうちツメ部分を拡大した斜方拡大図である。
【００７６】
本発明では、前記スイッチ押下用ツメ部231を形成するヒンジ円弧部径232よりも一部突出させた突出部231aを持つ。これにより、これにより、従来では検出スイッチの検出ノブを押せなくなってしまうような第2回転軸部230の回転軸部径236となっても、図26に示すように突出部231aにより検出スイッチの検出ノブ261を押すことが可能になる。
【００７７】
図27及び図28は本発明の表示ユニット部200のうち、背面カバー部207等一部の部品を除いた通常収納状態及び最大回転時のヒンジカバー部を点線で示した側面図である。ヒンジカバー部235は、第2回転軸部230をカバーしながら、強度を保つため、及び指で触れても痛くないように、ヒンジカバー部235の裾野が略三角形状に拡大されている。
【００７８】
図27及び図28に示すように、表示ユニット部200がどの位置にあろうと、前記突出部231aは、点線にて示したヒンジカバー部235から突出しないように、図1の通常収納状態から表示ユニット部200が回転する際に、突出部231aが表示ユニット部200の内部に潜り込む側に構成され、前記裾野の略三角形状によって空いたスペース内に延出して形成されている。また、表示ユニット200がどの位置にあっても突出しない位置及び方向に配置されている。
【００７９】
前記のように本体の小型化を進めていくと、第2回転軸部230の回転軸径236が小さくなり、それに合わせて表示ユニット側バネ部224も小型化する必要がある。しかしながら、表示ユニット側バネ部224が小型化するに従い、バネ力が低下し表示ユニット部200の保持力が低下する、繰り返し動作への耐久性が下がる、製品ごとのバラツキが増える等の問題が生じてくる。
【００８０】
図29は図1の通常収納状態での本発明の別形態のヒンジ部210周辺の側面図、図30は図8の状態での本発明の別形態のヒンジ部210周辺の側面図である。本発明の別の形態では、図29、30に示すように、表示ユニット側バネ部224の一部にバネ突出部224aを設け、その部分でバネ力を持たせることにより、バネ力を確保し、繰り返し動作への耐久性を高め、バラツキを減らすことができる。前記バネ突出部224aは、前記ヒンジ円弧部径233の内側で形成され、回転軸部径236より突出している。また、図29に示すように、通常収納状態では、バネ突出部224aは、ツメ部の突出部231a側に配置され、図30の状態まで常に円弧部232にバネ部224のバネ突出部224aによる摩擦力を与え続けて安定して表示ユニット部200を保持することが可能になる。
【００８１】
［実施例２］
以下に、本発明の第2の実施例の好ましい形態を、添付の図面に基づいて詳細に説明する。
【００８２】
保持用磁石270は、図6a等に示されるように、背面カバー部207の背面カバー保持用磁石配置部237部に配置されており、本体部には前記保持用磁石270に対向する位置に磁性体165が配置されており、表示ユニット部200が通常収納状態で不用意に開くことを防止している。
【００８３】
図38に本構成の本発明の実施形態にかかわる撮像装置の機能構成図を示す。実施例1における本発明の形態では、反転状態を検知して表示を反転させる為の反転検出部260を、表示ユニット部200に内蔵しており、表示ユニット200側に配置された第2回転軸部230の回転角度により表示を反転させていた。
【００８４】
図31に本構成の第2の実施例における側面図の保持用磁石270部を含む断面での断面図を示す。反転検出部260を、第2の実施例では本体部150に配置された磁気検知素子159を用いて反転検出を行う構成とする。図32に本発明の表示を反転した状態での撮像装置の側面図を示す。図32に示すように、表示ユニット部200とヒンジ接続部212の位置関係、すなわちヒンジ接続部212と表示ユニット200との成す角度が反転開始角度α以下の場合に表示を反転させる構成となっている。
【００８５】
図33は本発明の撮像装置の表示ユニット部を回動させた一形態の側面図である。上記構成の場合、本体部150側の第1回転軸部220の角度は反転表示とは無関係になってしまうため、例えば図33に示すような表示ユニット部200の状態でも反転表示してしまう。図33の表示ユニット部の位置での正面図を図34に示す。図34は正面から見た際には非常に見にくい角度であり、使用感を損なう可能性がある。
【００８６】
そこで本構成の第2の実施例では、図31に示すように、収納状態を保持するための保持用磁石270を表示ユニット部200の通常収納状態での光軸方向前方に配置し、磁気検知素子159を本体側の適切な位置に配置することにより反転検知を行う構成とする。
【００８７】
図35、36に図31と同一の断面にて切断した本発明の撮像装置の側面断面図を示す。具体的には、磁気検知素子159は、本体部150の内部に配置され、本体上カバー156近傍で、かつ図35のように反転開始角度αで表示ユニット部200が本体部150の本体上カバー156に接触した状態での保持用磁石270の側面視での位置と、図36のように完全反転状態での表示ユニット部200内の保持用磁石270の側面視での位置との間にあるように配置する。 
【００８８】
図37は図31と同一の断面にて切断した本発明の撮像装置のうち、図33の表示ユニット部の角度での図である。前記磁気検知素子159の磁気検知方向は光軸と同一の方向にすることにより、本体部150の本体上カバー156から表示ユニット部200が離れた図37のような状態では反転検知を行わないようにすることが可能である。かつ、適切な値に磁気検知素子159の検知感度を設定することにより、表示ユニット部が図35の反転開始角度α以上の角度になると反転しないようにすることが可能であり、より使いやすい撮像装置を提供できる。
【００８９】
加えて、前記磁気検知素子159を本体部150に配置された制御基板部120に実装してやることにより、追加の基板等を発生させることなく低コストで正確な反転検知が可能になる。
【００９０】
以上、本発明の好ましい実施形態について説明したが、本発明はこれらの実施形態に限定されず、その要旨の範囲内で種々の変形及び変更が可能である。
【符号の説明】
【００９１】
100‥‥撮像装置
110‥‥レンズユニット部
111‥‥レンズ部
112‥‥イメージセンサ部
120‥‥制御基板部
121‥‥本体制御部
122‥‥制御IC
123‥‥画像処理部
124‥‥制御部
125‥‥電源部
126‥‥操作部
127‥‥メモリ部
150‥‥本体部
151‥‥マイクユニット部
152‥‥記録スイッチ部
153‥‥ストラップ通し穴部
154‥‥電源スイッチ部
155‥‥再生スイッチ部
156‥‥本体上カバー部
157‥‥本体側凹部
158‥‥FPC本体側出口
159‥‥磁気検知素子
160‥‥端子蓋A部
161‥‥指かけ用凹部
165‥‥磁性体
170‥‥端子蓋B部
171‥‥指かけ用凹部
180‥‥外部接続端子部
190‥‥外部記憶装置部
200‥‥表示ユニット部
201‥‥表示面
202‥‥表示部
203‥‥タッチパネル部
204‥‥表示基板部
205‥‥表示部前カバー
205a‥‥タッチパネル受け部
205b‥‥表示部用開口部
206‥‥粘着部材部
206a‥‥粘着張り出し部
207‥‥背面カバー部
208‥‥空間部
209‥‥隙間部分
210‥‥ヒンジユニット部
211‥‥本体側接続部
212‥‥ヒンジ接続部
213‥‥表示ユニット側接続部
214‥‥本体側バネ部
215‥‥本体側回転固定部
220‥‥第1回転軸部
220a‥‥第1回転軸
224‥‥表示ユニット側バネ部
224a‥‥バネ突出部
225‥‥表示ユニット側回転固定部
230‥‥第2回転軸部
230a‥‥第2回転軸
231‥‥スイッチ押下用ツメ部
231a‥‥突出部
232‥‥ヒンジ円弧部径
235‥‥ヒンジカバー部
236‥‥回転軸部径
237‥‥背面カバー保持用磁石配置部
240‥‥FPC表示ユニット側出口
250‥‥表示ユニット接続用FPC
251 ‥‥FPCガード部
260 ‥‥反転検出部
261‥‥検出ノブ
270‥‥保持用磁石
301‥‥指かけ凸部
501‥‥従来の撮像装置本体部
510‥‥従来の表示ユニット部
512‥‥従来の表示部
513‥‥従来のタッチパネル部
515‥‥従来の表示部前カバー部
515a‥‥従来のタッチパネル受け部
516‥‥従来の粘着部材部
517‥‥シール材
518‥‥従来の空間部
530‥‥従来のヒンジ部
531‥‥従来のスイッチ押下用ツメ部
535‥‥第2回転軸部
536‥‥回転軸径
537‥‥ツメ径
540‥‥反転検出部
541‥‥検出ノブ
【図１ａ】
2015005885.tif 000003
【図１ｂ】
2015005885.tif 000004
【図２ａ】
2015005885.tif 000005
【図２ｂ】
2015005885.tif 000006
【図３】
2015005885.tif 000007
【図４】
2015005885.tif 000008
【図５】
2015005885.tif 000009
【図６ａ】
2015005885.tif 000010
【図６ｂ】
2015005885.tif 000011
【図６ｃ】
2015005885.tif 000012
【図７ａ】
2015005885.tif 000013
【図７ｂ】
2015005885.tif 000014
【図８ａ】
2015005885.tif 000015
【図８ｂ】
2015005885.tif 000016
【図９】
2015005885.tif 000017
【図１０】
2015005885.tif 000018
【図１１】
2015005885.tif 000019
【図１２】
2015005885.tif 000020
【図１３】
2015005885.tif 000021
【図１４】
2015005885.tif 000022
【図１５】
2015005885.tif 000023
【図１６】
2015005885.tif 000024
【図１７】
2015005885.tif 000025
【図１８】
2015005885.tif 000026
【図１９】
2015005885.tif 000027
【図２０】
2015005885.tif 000028
【図２１】
2015005885.tif 000029
【図２２ａ】
2015005885.tif 000030
【図２２ｂ】
2015005885.tif 000031
【図２３】
2015005885.tif 000032
【図２４】
2015005885.tif 000033
【図２５】
2015005885.tif 000034
【図２６】
2015005885.tif 000035
【図２７】
2015005885.tif 000036
【図２８】
2015005885.tif 000037
【図２９】
2015005885.tif 000038
【図３０】
2015005885.tif 000039
【図３１】
2015005885.tif 000040
【図３２】
2015005885.tif 000041
【図３３】
2015005885.tif 000042
【図３４】
2015005885.tif 000043
【図３５】
2015005885.tif 000044
【図３６】
2015005885.tif 000045
【図３７】
2015005885.tif 000046
【図３８】
2015005885.tif 000047
【図３９ａ】
2015005885.tif 000048
【図３９ｂ】
2015005885.tif 000049
【図３９ｃ】
2015005885.tif 000050
【図４０ａ】
2015005885.tif 000051
【図４０ｂ】
2015005885.tif 000052
【図４１】
2015005885.tif 000053
【図４２】
2015005885.tif 000054